(57)【特許請求の範囲】
【請求項１】
ユニット本体の開口部に装着するサッシ枠と、該サッシ枠に組み込む片開き式の引戸とを備えてなり、前記サッシ枠は、一方の竪枠と半柱との間に壁パネルを装着し、室内側が室外側より低い段付きの下枠と、室内側が室外側より高い段付きの上枠とを有し、前記引戸は、前記壁パネルの室内側に沿って開閉することを特徴とする浴室ユニットの引戸装置。
【請求項２】
前記壁パネルは、ユニット本体の真壁部分の壁パネルと同一仕様にすることを特徴とする請求項１記載の浴室ユニットの引戸装置。
【発明の詳細な説明】
【０００１】
【発明の属する技術分野】
この発明は、水漏れ苦情を生じるおそれが全くない片引戸式の浴室ユニットの引戸装置に関する。
【０００２】
【従来の技術】
いわゆるユニットバスとして広く知られている浴室ユニットは、浴槽やシャワ装置等の必要部材を箱形のユニット本体に一体に組み込んで形成されている。
【０００３】
かかる浴室ユニットの出入口は、外開き式または内開き式のドアを介して開閉するのが普通であるが、ドアに代えて片開き式の引戸を使用することも少なくない。なお、この場合の引戸は、サッシ枠をユニット本体の室外側に取り付け、ユニット本体の外面に沿って開閉するのが普通である。ユニット本体に設ける開口部の大きさを必要最少限にすることができ、全体コストの低減を図ることができるからである。
【０００４】
【発明が解決しようとする課題】
かかる従来技術によるときは、閉鎖時において引戸の内面に付着する水滴が、開放時においてユニット本体の外部に流れ落ちるために、思わぬ水漏れ苦情を発生することがあるという問題が避けられなかった。
【０００５】
そこで、この発明の目的は、かかる従来技術の問題に鑑み、壁パネル付きのサッシ枠の室内側に引戸を組み合わせることによって、水漏れ苦情の発生のおそれが全くない浴室ユニットの引戸装置を提供することにある。
【０００６】
【課題を解決するための手段】
かかる目的を達成するためのこの発明の構成は、ユニット本体の開口部に装着するサッシ枠と、サッシ枠に組み込む片開き式の引戸とを備えてなり、サッシ枠は、一方の竪枠と半柱との間に壁パネルを装着し、引戸は、壁パネルの室内側に沿って開閉することをその要旨とする。
【０００７】
ただし、サッシ枠は、室内側が室外側より低い段付きの下枠と、室内側が室外側より高い段付きの上枠とを有するものとする。
【０００８】
また、壁パネルは、ユニット本体の真壁部分の壁パネルと同一仕様にすることができる。
【０００９】
【作用】
かかる発明の構成によるときは、引戸は、サッシ枠に開閉自在に組み込まれており、閉鎖時において内面に水滴が付着しても、その水滴がユニット本体の外部に流れ落ちるおそれがない。引戸は、開放時において壁パネルの室内側に位置し、水滴は、サッシ枠の下枠上に流れ落ち、ユニット本体内の床面に流れることができるからである。
【００１０】
サッシ枠は、段付きの下枠を備えることにより、引戸の下端部を段の室内側に位置させることができ、段付きの上枠を備えることにより、引戸の上端部を段の室内側に位置させることができる。すなわち、引戸の内面に付着する水滴は、ユニット本体の室内側において、一層確実に処理することが可能である。
【００１１】
壁パネルを真壁部分と同一仕様とすれば、引戸を閉鎖するとき、ユニット本体の室内側に露出するすべての壁パネルの外観が統一され、良好な使用感を得ることができる上、全体コストの低減を図ることができる。
【００１２】
【発明の実施の形態】
以下、図面を以って発明の実施の形態を説明する。
【００１３】
浴室ユニットの引戸装置は、サッシ枠１０と、片開き式の引戸２０とを組み合わせてなる（図１、図２）。
【００１４】
サッシ枠１０は、ユニット本体１の開口部Ａに取り付けられている。また、引戸２０は、サッシ枠１０の室内側に組み合わされており、出入口Ｂを開閉することができる。なお、開口部Ａは、出入口Ｂの２倍強の幅に設定されている。
【００１５】
ユニット本体１は、浴槽１ａ、洗い場となる床面１ｂ、周囲の壁パネル１ｃ、１ｃ…の他、図示しない天井面を有し、全体として箱形に形成されている。なお、ユニット本体１には、図示しないシャワ装置、湯水栓等が組み込まれている。
【００１６】
サッシ枠１０は、アルミニウム押出形材からなる下枠１１、左右の竪枠１２、１２、上枠１３、中間の半柱１４を組み合わせてなり、一方の竪枠１２と半柱１４との間には、ユニット本体１の真壁部分の壁パネル１ｃ、１ｃ…と同一仕様の壁パネル１５が装着されている。また、引戸２０は、アルミニウム押出形材からなる下框２１、左右の竪框２２、２２、上框２３の他、中間の中桟２４、下框２１と平行な補助桟２５を有し、中桟２４の上下には、半透明のパネル板２６、２６が装着されている。中桟２４の一端には、引手２４ａが形成され、下框２１、補助桟２５の間には、横長の通気孔２７が形成されている。
【００１７】
サッシ枠１０の下枠１１は、室外側の沓摺（くつずり）部１１ａと、室内側のレール部１１ｂとを有する（図３、図４）。レール部１１ｂは、沓摺部１１ａより低くなっており、両者間には、段１１ｃが形成されている。段１１ｃには、水切り用のブラシ１１ｄが取り付けられており、レール部１１ｂには、引戸２０を案内するレール１１ｅが形成されている。なお、レール部１１ｂは、上面が室内側に緩く傾斜しており、先端を室外側に水平に折り返した上、パッキン１１ｆを介し、ユニット本体１の支持リブ１ｄによって支承されている。ただし、支持リブ１ｄの先端部は、上方に屈曲され、段１１ｃの背面を支持している。また、沓摺部１１ａは、構造材Ｋ1 に対してビス止めされている。
【００１８】
左右の竪枠１２、１２は、下枠１１の両端に立設されている。ただし、各竪枠１２は、下枠１１の沓摺部１１ａ、レール部１１ｂの下面のビスポケットを利用することにより、下枠１１に対してビス止めされている。
【００１９】
各竪枠１２の裏面側には、角筒状の補強部１２ａが形成され、表面の室内側には、戸当り１２ｂを装着するために、一対のフック１２ｃ、１２ｃが突設されている。ただし、開放側の戸当り１２ｂは、適当な弾性材により単純な角柱状に形成され、閉鎖側の戸当り１２ｂは、引戸２０の竪框２２の外面に適合するように、凹円弧状断面に形成されている。各竪枠１２の室外側は、構造材Ｋ2 にビス止めされており、室内側は、異形のパッキン１２ｄを介し、ユニット本体１側に固定する止め金具２によって位置決めされている。なお、各竪枠１２の室内側の端部は、室外側に溝状に折り返すことによってパッキン１２ｄを収納するリブ１２ｅを形成し、リブ１２ｅの外面には、別のパッキン１２ｆが付設されている。ただし、開放側の止め金具２の先端は、鈎形に屈曲してリブ１２ｅの内面に当接しており、閉鎖側の止め金具２の先端は、リブ１２ｅと平行に伸び、リブ１２ｅとの間にパッキン１２ｇが介装されている。
【００２０】
上枠１３は、室外側の平面部１３ａと、室内側のレール部１３ｂとを有する。レール部１３ｂは、平面部１３ａより高くなっており、両者間には、段１３ｃが形成されている。レール部１３ｂには、下枠１１のレール１１ｅに対応するレール１３ｄが形成されており、レール１３ｄの下端部には、引戸２０を摺動自在に案内するフック１３ｅが室内側に突設されている。なお、レール部１３ｂの上面には、角筒状の補強部１３ｆが形成されている。上枠１３は、平面部１３ａを構造材Ｋ3 にビス止めし、吊り金具１ｈを介して中間部をユニット本体１の天井パネル１ｊの一端に連結することによって支持されている。また、上枠１３の両端は、平面部１３ａ、レール部１３ｂの上面のビスポケットを利用することにより、左右の竪枠１２、１２に連結されている。
【００２１】
半柱１４は、下枠１１の沓摺部１１ａ、上枠１３の平面部１３ａの間に立設されており、中空角柱状に形成されている。半柱１４の出入口Ｂ側の面には、壁パネル１５を固定するために、盲栓１４ａ付きの複数の孔が上下に配列形成されており、室内側の面には、引戸２０の閉鎖限を規制するフック１４ｂが形成され、水切り用の可撓性の舌片１４ｃが取り付けられている。なお、半柱１４の上下両端は、内部のビスポケットを利用することにより、上枠１３、下枠１１にビス止めされている。
【００２２】
一方の竪枠１２と半柱１４との間には、壁パネル１５が装着されている。壁パネル１５は、断面略コ字状の折曲板材１５ａ、１５ａ…を枠形に組み立て、室内側にパネル１５ｂを付設して形成されている。なお、各折曲板材１５ａは、非対称断面に形成されており、室内側のフランジの先端は内側に直角に折り曲げられ、室外側のフランジの先端は、内側に２段に折り曲げられている。壁パネル１５の下部、左右の側部、上部は、それぞれパッキン１５ｄを介し、セルフタッピング式の止めねじ１５ｃ、１５ｃ…により、下枠１１の沓摺部１１ａ、一方の竪枠１２と半柱１４、上枠１３の平面部１３ａに連結されている。また、壁パネル１５と下枠１１、竪枠１２、上枠１３との各接合部分には、防水コーキング１５ｅが施されている。
【００２３】
引戸２０の下框２１は、中間に変形角筒状の中空部２１ａを形成し、中空部２１ａの下方に一対の下壁２１ｂ、２１ｂを垂設し、中空部２１ａの上方の室外側に上壁２１ｃを立設して形成されている。下框２１の両端部には、下壁２１ｂ、２１ｂの間に挿入するようにして戸車部材２１ｄ、２１ｄが下側から装着されており、戸車部材２１ｄの下面には、下枠１１のレール１１ｅ上を転動する戸車２１ｄ1 が回転自在に装着されている。ただし、図３には、戸車部材２１ｄ、２１ｄの一方のみが図示されている。中空部２１ａの上面は、室内側に緩く傾斜しており、上壁２１ｃの室内側には、水切り用のリブが上端、中間に横２段に形成されている。また、室内側の下壁２１ｂの下端には、先端がレール１１ｅに摺接する水切り用の舌片２１ｅが取り付けられている。下框２１の両端は、中空部２１ａに形成するビスポケットを利用して、左右の竪框２２、２２にビス止めされている。
【００２４】
竪框２２、２２は、それぞれ引戸２０の外側に膨出するドーム形断面に形成されている。なお、開放側の竪框２２には、引戸２０の閉鎖限を規制するために、半柱１４のフック１４ｂに対応するフック２１ａが室外側に突設されており、さらに、室内側から操作するロック機構２１ｂが組み込まれている。ただし、ロック機構２１ｂは、半柱１４の室内側の面に装着する図示しない係合部に係合し、閉鎖した引戸２０を開放不能にロックすることができる。
【００２５】
上框２３は、中間のビスポケット付きの仕切壁２３ａの両側に側壁２３ｂ、２３ｂを形成してなる。室内側の側壁２３ｂの上端には、上枠１３のフック１３ｅに対して摺動自在に係合する係合部２３ｃが形成されている。
【００２６】
中桟２４は、上下の仕切壁２４ｂ、２４ｂの両側に側壁２４ｃ、２４ｃを形成してなり、上方の仕切壁２４ｂには、ビスポケットが形成されている。
【００２７】
補助桟２５は、角筒状の中空部２５ａの上方に一対の上壁２５ｂ、２５ｂを突設し、中空部２５ａの下方室内側に、下壁２５ｃを長く垂設して形成されている。下壁２５ｃの下端には、水切り用のリブが内向きに形成されており、下壁２５ｃは、下框２１の上壁２１ｃと対向するようにして上下に組み合わされ、両者間には、室内側から室外側にかけて上方に屈曲する通気孔２７が形成されている。
【００２８】
なお、上框２３、中桟２４、補助桟２５の両端は、それぞれの内部のビスポケットを利用することにより、竪框２２、２２にビス止めされている。また、竪框２２、２２の各内側の面、上框２３の下側、中桟２４の上側と下側、補助桟２５の上側には、それぞれパッキン２６ａが取り付けられており、各パネル板２６は、全周にパッキン２６ａ、２６ａ…が装着されている。
【００２９】
ユニット本体１の壁パネル１ｃ、１ｃ…は、サッシ枠１０に装着する壁パネル１５と同一構造となっている（図４、図５）。すなわち、各壁パネル１ｃは、折曲板材１ｃ1 、１ｃ1 …を枠形に組み、室内側にパネル１ｃ2 を付設して形成されている。なお、壁パネル１ｃは、コ字状の連結金具３、押しねじ３ａ、パッキン３ｂを介して他の壁パネル１ｃと直線的に連結される他、止め金具２に付設する板ばね２ａに対し、折曲板材１ｃ1 の室外側のフランジを弾発的に係合させることにより、ユニット本体１の外壁１ｅに固定されている。ただし、止め金具２は、ユニット本体１の各隅角部、外壁１ｅとサッシ枠１０との接合部において使用されており、ビス２ｂ、２ｂ…を介し、外壁１ｅにビス止めされている。また、各壁パネル１ｃの端面と止め金具２の対応面との間には、パッキン２ｃが介装されている。壁パネル１ｃ、１ｃ…の各接合部、サッシ枠１０の全周の各接合部には、防水コーキング４が施されている。
【００３０】
引戸２０は、サッシ枠１０に対し、壁パネル１５の室内側に開閉自在に組み込まれている。引戸２０の下端には、下枠１１のレール１１ｅ上を転動する戸車２１ｄ1 付きの戸車部材２１ｄ、２１ｄが装着され、引戸２０の上端は、上枠１３のフック１３ｅに係合する係合部２３ｃを介し、摺動自在に支持されているからである。そこで、引戸２０は、壁パネル１５の室内側に沿って出入口Ｂを自在に開閉することができる。また、引戸２０を閉鎖すると、壁パネル１５が室内側に露出するが、壁パネル１５は、他の真壁部分の壁パネル１ｃ、１ｃ…と同一仕様であるから、何らの違和感も生じることがない。
【００３１】
なお、引戸２０の内面に付着する水滴は、下枠１１のレール部１１ｂ上に流下するが、レール部１１ｂが室内側に傾斜しているため、その後、床面１ｂ上に円滑に流れ落ちる。すなわち、水滴は、ユニット本体１の外部に流出するおそれがない。
【００３２】
【発明の効果】
以上説明したように、この発明によれば、壁パネル付きのサッシ枠の室内側に片開き式の引戸を組み込むことによって、引戸は、壁パネルの室内側に沿って開閉するから、内面に付着する水滴をユニット本体の内部に流下させ、ユニット本体の内部において確実に処理することができ、水漏れ苦情を生じるおそれが全くないという優れた効果がある。
【図面の簡単な説明】
【図１】  使用状態概略平面図
【図２】  全体構成正面図
【図３】  縦断面説明図
【図４】  横断面説明図
【図５】  ユニット本体の要部横断面図
【符号の説明】
Ａ…開口部
１…ユニット本体
１ｃ…壁パネル
１０…サッシ枠
１１…下枠
１１ｃ…段
１２…竪枠
１３…上枠
１３ｃ…段
１４…半柱
１５…壁パネル
２０…引戸
【図１】
0003653580.tif 000002
【図２】
0003653580.tif 000003
【図３】
0003653580.tif 000004
【図４】
0003653580.tif 000005
【図５】
0003653580.tif 000006